(57)【要約】【課題】本発明の課題は、飲み口または飲み口部材や肩カバーまたは栓体の部品寸法にバラツキがある場合であっても、飲み口等を肩カバー等に安定して装着することができる栓体を提供することである。【解決手段】本発明に係る栓体１００は、「基体１１０」と、「第１被支持部１２３と、前記第１被支持部の配設側の反対側に配設される第２被支持部１２４とを有し、着脱可能に前記基体に支持される飲み口体１２０」と、を備え、前記第２被支持部は、爪部１１４ｃと、前記爪部から延びる弾性部１１４ｂとを有する係止部１１４により着脱可能に前記基体に支持される。【選択図】図１３
2020089406.tif 000002
【特許請求の範囲】
【請求項１】
基体と、
第１被支持部と、前記第１被支持部の配設側の反対側に配設される第２被支持部とを有し、着脱可能に前記基体に支持される飲み口体と、を備え、
前記第２被支持部は、爪部と、前記爪部から延びる弾性部とを有する係止部により着脱可能に前記基体に支持される栓体。
【請求項２】
前記係止部は、前記基体とは別体であり、前記基体を形成する材料よりも高弾性の材料により形成されている請求項１に記載の栓体。
【請求項３】
回動自在に前記基体に支持される蓋体をさらに備え、
前記基体は、筒体であり、
前記第１被支持部は、偶数個設けられており、前記飲み口体が前記基体に装着されている状態において、前記蓋体の支持側からその反対側に向かって前記基体の筒軸を含むように延びる仮想面に対して対称になるように配設されている請求項１または２に記載の栓体。
【請求項４】
前記第２被支持部および前記係止部は、前記飲み口体が前記基体に装着されている状態において、前記蓋体の支持側に設けられている請求項３に記載の栓体。
【請求項５】
前記第１被支持部は、前記飲み口体が前記基体に装着されている状態において、前記基体の上側に位置している請求項１〜４のいずれか一項に記載の栓体。
【請求項６】
前記飲み口体は、前記第２被支持部側が前記係止部に向かって押圧されることにより前記基体から離脱する請求項１〜５のいずれか一項に記載の栓体。
【発明の詳細な説明】
【技術分野】
【０００１】
本発明は、栓体に関する。
【背景技術】
【０００２】
過去に「容器本体と、前記容器本体の周側上部に着脱される肩カバーと、前記容器本体内に連通する飲料注出路が一体的に成形された飲み口と、前記飲み口を前記肩カバーに着脱可能に係止する係止部と、前記肩カバーに取り付けられた蓋とを備える飲料容器において、前記係止部が、前記飲み口の外側面に一体的に成形された第１の係止片と、前記肩カバーの内側面に一体的に成形され、前記第１の係止片と係り合って前記飲み口を前記肩カバーに止める第２の係止片とを備えることを特徴とする飲料容器。（例えば、特開２０１５−２３９８３２号公報参照。）」や、「前記栓体内に飲み口部材が着脱自在に該栓体と係合されることを特徴とする飲料用容器の栓体。（例えば、特開２０１４−２１８２５８号公報参照。）」が提案されている。
【先行技術文献】
【特許文献】
【０００３】
【特許文献１】特開２０１４−２１８２５８号公報
【発明の概要】
【発明が解決しようとする課題】
【０００４】
本発明の課題は、飲み口または飲み口部材（以下まとめて「飲み口等」という。）や肩カバーまたは栓体（以下まとめて「肩カバー等」という。）の部品寸法にバラツキがある場合であっても、飲み口等を肩カバー等に安定して装着することができる栓体を提供することである。
【課題を解決するための手段】
【０００５】
本発明に係る栓体は、
基体（上述の「肩カバー等」に相当する。）と、
第１被支持部と、前記第１被支持部の配設側の反対側に配設される第２被支持部とを有し、着脱可能に前記基体に支持される飲み口体（上述の「飲み口等」に相当する。）と、を備え、
前記第２被支持部は、爪部と、前記爪部から延びる弾性部とを有する係止部により着脱可能に前記基体に支持される。
【０００６】
上記構成によれば、基体や飲み口体の部品寸法のバラツキを弾性部により吸収することができる。このため、この栓体では、飲み口体を基体に安定して装着することができる。
【０００７】
本発明では、
前記係止部が、前記基体とは別体であり、前記基体を形成する材料よりも高弾性の材料により形成されていると好適である。
【０００８】
上記構成によれば、適切な材料で係止部を形成することができ、延いては安定した係止構造を形成することができる。
【０００９】
本発明では、
回動自在に前記基体に支持される蓋体をさらに備え、
前記基体は、筒体であり、
前記第１被支持部は、偶数個設けられており、前記飲み口体が前記基体に装着されている状態において、前記蓋体の支持側からその反対側に向かって前記基体の筒軸を含むように延びる仮想面に対して対称になるように配設されていると好適である。
【００１０】
上記構成によれば、基体に対する飲み口体の片側の支持を従前のものよりもバランスよく安定化させることができる。
【００１１】
本発明では、
前記第２被支持部および前記係止部は、前記飲み口体が前記基体に装着されている状態において、前記蓋体の支持側に設けられていると好適である。
【００１２】
上記構成によれば、口との接触機会がほとんどない側の飲み口体部位の側に第２被支持部および係止部が設けられるため、飲料摂取中において意図しない飲み口体の脱離を抑制することができる。
【００１３】
本発明では、
前記第１被支持部が、前記飲み口体が前記基体に装着されている状態において、前記基体の上側に位置していると好適である。
【００１４】
上記構成によれば、飲み口体の第１被支持部側の部位に上側から比較的大きな応力が加わった場合であっても、第１被支持部が基体の上壁部から外れることを防ぐことができる。
【００１５】
本発明では、
前記飲み口体は、前記第２被支持部側が前記係止部に向かって押圧されることにより前記基体から離脱すると好適である。
【００１６】
上記構成によれば、比較的シンプルな方法で基体から飲み口体を取り外すことができる。
【図面の簡単な説明】
【００１７】
【図１】本発明の実施の形態に係る飲料容器の外観斜視図である。
【図２】本発明の実施の形態に係る栓体の外観斜視図である。
【図３】本発明の実施の形態に係る栓体の縦断面図である。
【図４】本発明の実施の形態に係る栓体において蓋体が開状態とされたときの外観斜視図である。
【図５】本発明の実施の形態に係る栓体において蓋体が開状態とされると共に飲み口体が取り外されたときの外観斜視図である。
【図６】本発明の実施の形態に係る栓カバーに対して係止爪片を装着した状態を栓カバーの裏側からみたときの外観斜視図である。
【図７】本発明の実施の形態に係る栓カバーに対する係止爪片の取付け態様を示す図である。
【図８】本発明の実施の形態に係る係止爪片の外観斜視図である。
【図９】本発明の実施の形態に係る飲み口体の前側外観斜視図である。
【図１０】本発明の実施の形態に係る飲み口体の後側外観斜視図である。
【図１１】本発明の実施の形態に係る飲み口体の側面図である。
【図１２】本発明の実施の形態に係る栓体において飲み口体を栓カバーから取り外す際の手順を説明するための図である。
【図１３】本発明の実施の形態に係る栓体において飲み口体を栓カバーから取り外す際の手順を説明するための図である。
【図１４】本発明の実施の形態に係る栓体において飲み口体を栓カバーから取り外す際の手順を説明するための図である。
【図１５】本発明の実施の形態の変形例（Ａ）に係る栓体において蓋体が開状態とされたときの外観斜視図である。
【図１６】本発明の実施の形態の変形例（Ａ）に係る飲み口体の前側外観斜視図である。
【図１７】本発明の実施の形態の変形例（Ａ）に係る飲み口体の後側外観斜視図である。
【図１８】本発明の実施の形態の変形例（Ａ）に係る栓体において蓋体が開状態とされると共に飲み口体が取り外されたときの外観斜視図である。
【発明を実施するための形態】
【００１８】
＜本発明の実施の形態に係る飲料容器の構成＞
本発明の実施の形態に係る飲料容器１０は、図１に示されるように真空二重容器ＶＤＣおよび栓体１００から構成されている。なお、この飲料容器１０は、栓体１００が真空二重容器ＶＤＣに螺合されることによって組み立てられている。以下、真空二重容器ＶＤＣおよび栓体１００それぞれについて詳述する。
【００１９】
（１）真空二重容器
真空二重容器ＶＤＣは、ステンレス鋼等の金属製の容器であって、主に、有底の内筒および有底の外筒から形成されている。具体的には、内筒と外筒との間に断熱空間が形成されるように内筒の開口端部と外筒の開口端部とが接合された後、断熱空間が真空状態とされることによって真空二重容器ＶＤＣが形成される。
【００２０】
内筒は、主に、内筒側壁部、内筒底壁部および先端壁部から形成されている。内筒側壁部は、略円筒形状を呈している。内筒底壁部は、中央部が開口側に向かって球面状に盛り上がっており、隅部が凹円弧状を呈している。そして、この内筒底壁部は、内筒側壁部の下側に位置している。先端壁部は略円筒形状を呈しており、真空二重容器ＶＤＣの開口を形成している。
【００２１】
外筒は、主に、外筒側壁部、外筒底壁部および雄ネジ部から形成されている。外筒側壁部は、内筒側壁部と同様に略円筒形状を呈している。外筒底壁部は、略円盤形状を呈しており、外筒側壁部の下端部分に接合されている。雄ネジ部は、外筒側壁部の上端部分の外周面に形成されている。
【００２２】
（２）栓体
栓体１００は、図２〜図４に示されるように、主に、栓本体１１０、飲み口体１２０および蓋体１３０から構成される。以下、これらの要素部品について詳述する。
【００２３】
（２−１）栓本体
栓本体１１０は、図３〜図７に示されるように、主に、上壁部１１１、円筒壁部１１２、雌ネジ部１１３、係止爪片１１４および蓋体支持部１１５から構成されている。なお、この栓本体１１０において、上壁部１１１、円筒壁部１１２、雌ネジ部１１３および蓋体支持部１１５はポリプロピレン樹脂等の樹脂の一体成形品であるが、係止爪片１１４は、ポリオキシメチレン（ポリアセタール）等の弾性に富む樹脂材料から別途、成形されている。以下、各構成要素について詳述する。
【００２４】
（２−１−１）上壁部
上壁部１１１は、図５〜図７に示されるように栓本体１１０の上壁を構成する略円盤状の部位であって、中央壁部１１１Ａ、周縁壁部１１１Ｂおよび台座部１１１Ｃから構成されている。
【００２５】
中央壁部１１１Ａは、図５〜図７に示されるように略Ｄ字状の輪郭を有する壁部位であって、平面視において直線部側が蓋体支持部配設側を向くように形成されている。なお、以下、説明の便宜上、蓋体支持部配設側を背面側に設定する。この中央壁部１１１Ａには、図５〜図７に示されるように略Ｄ字状の飲み口体挿通口ＭＯ、略長方形状の爪受け部挿通口ＦＯおよびリブ挿通口ＲＯが形成されている。図５〜図７に示されるように、飲み口体挿通口ＭＯは、平面視において直線部側が背面側（蓋体支持部配設側）を向くように形成されている。図５〜図７に示されるように、略長方形状の爪受け部挿通口ＦＯは、飲み口体挿通口ＭＯの正面側に位置し、飲み口体挿通口ＭＯと連通している。図５〜図７に示されるように、リブ挿通口ＲＯは、飲み口体挿通口ＭＯの左右に一対形成されており、平面視において飲み口体挿通口ＭＯと連通している。図７に示されるように、中央壁部１１１Ａにおいて飲み口体挿通口ＭＯの直線部側には、飲み口体挿通口ＭＯと隣り合うように略長方形状の係止爪片挿通口ＳＯが形成されている。ここで、この係止爪片挿通口ＳＯは、平面視において飲み口体挿通口ＭＯとは連通していない。図７に示される通り、この係止爪片挿通口ＳＯには、係止爪片１１４が挿通される。
【００２６】
周縁壁部１１１Ｂは、略円環状の壁部であって、中央壁部１１１Ａを囲むように設けられており、図５および図７に示されるように中央壁部１１１Ａと円筒壁部１１２とを繋いでいる。
【００２７】
台座部１１１Ｃは、図５に示されるように中央壁部１１１Ａの正面側において爪受け部挿通口ＦＯの左右両側に隣接して一対形成されている。これらの台座部１１１Ｃは、図５に示されるように、爪受け部挿通口ＦＯの左右に隣接する飲み口体挿通口ＭＯの縁から背面側に向かって延びている。図５に示されるように、これらの台座部１１１Ｃの上面は中央壁部１１１Ａの上面よりも下側に位置している。すなわち、中央壁部１１１Ａと台座部１１１Ｃとは段構造を形成しており、中央壁部１１１Ａが上段となり、台座部１１１Ｃが下段となっている。
【００２８】
（２−１−２）円筒壁部
円筒壁部１１２は、図３〜図７に示されるように略円筒形状を呈しており、上壁部１１１の周縁壁部１１１Ｂから下方に向かって延びている。図３、図６および図７に示されるように、この円筒壁部１１２の内周面には雌ネジ部１１３が形成されている。
【００２９】
（２−１−３）雌ネジ部
雌ネジ部１１３は、真空二重容器の雄ネジ部と螺合させるためのものであって、上述の通り、円筒壁部１１２の内周面に形成されている。
【００３０】
（２−１−４）係止爪片
係止爪片１１４は、嵌込部品であって、図８に示されるように、主に、ブロック部１１４ａ、主板バネ部１１４ｂ、主爪部１１４ｃ、副板バネ部１１４ｄおよび副爪部１１４ｅから構成されている。ブロック部１１４ａは、主板バネ部１１４ｂおよび副板バネ部１１４ｄを支持する部位である。主板バネ部１１４ｂは、板バネ機能を有する部位であって、図８に示されるようにブロック部１１４ａの長手方向中央部分から下方に向かって延びている。主爪部１１４ｃは、後述する飲み口体１２０の後側爪受け部１２４を係止するための部位であって、図８に示されるように主板バネ部１１４ｂの下端に設けられている。そして、この主爪部１１４ｃは、平面視において短手方向片側に向かって突起している。副板バネ部１１４ｄは、板バネ機能を有する部位であって、図８に示されるようにブロック部１１４ａの長手方向両端部分から下方に向かって延びている。副爪部１１４ｅは、上壁部１１１、円筒壁部１１２、雌ネジ部１１３および蓋体支持部１１５などから成る一体成形品に係止爪片１１４を固定する役割を担う部位であって、図８に示されるように副板バネ部１１４ｄの下端に設けられている。そして、この副爪部１１４ｅは、図８に示されるように平面視において長手方向外側に向かって延びている。
【００３１】
そして、この係止爪片１１４は、図７に示されるように主爪部１１４ｃが正面側を向くようにして係止爪片挿通口ＳＯに挿入され、副爪部１１４ｅによって係止爪片挿通口ＳＯの両脇の上壁部１１１の中央壁部１１１Ａに係合される（図６参照。）。
【００３２】
（２−１−５）蓋体支持部
蓋体支持部１１５は、図７に示されるように略円筒形状を呈する部位であって、その筒軸が左右方向に沿うようにして上壁部１１１の周縁壁部１１１Ｂの後方部位に配設されている。そして、この蓋体支持部１１５には、蓋体１３０の回動軸（図示せず）が挿通される。なお、このとき、回動軸の周囲にねじりバネ（図示せず）が配設され、このねじりバネにより蓋体１３０が開く方向に付勢される。
【００３３】
（２−２）飲み口体
飲み口体１２０は、図９〜図１１に示されるように、略円筒形状を呈する部材であって、主に、飲み口部１２１、爪受け部１２２、前側突起部１２３、後側爪受け部１２４、第１環状リブ１２５、第２円環リブ１２６、位置決めリブ１２７およびパッキン装着部（図示せず）から構成されている。なお、この飲み口体１２０の内部には、飲料通路が形成されている。すなわち、飲み口体１２０の下側の開口が飲料の流入口Ｍｉ（図９参照）となり、飲み口体１２０の上側の開口が飲料の流出口Ｍｏ（図１０参照）となる。以下、上記構成要素について詳述する。
【００３４】
（２−２−１）飲み口部
飲み口部１２１は、図９および図１０に示されるように、平面視において略Ｄ字状を呈すると共に側面視において正面側から背面側に向かうに従って下方に傾斜する側壁１２１ａと、平面視において略Ｄ字状を呈すると共に椀状の底壁１２１ｂとから形成されている。そして、図９および図１０に示されるように底壁１２１ｂの略中央部分には開口ＤＯが形成されている。
【００３５】
（２−２−２）爪受け部
爪受け部１２２は、蓋体１３０の揺動爪１３３（後述）を受ける役割を担う部位であって、図９に示されるように正面側が開口した箱状を呈しており、飲み口部１２１の正面側に配設されている。この栓本体１１０に飲み口体１２０が装着されている状態において、この爪受け部１２２には、蓋体１３０の揺動爪１３３の爪部１３３ａが係止される（図３参照）。
【００３６】
（２−２−３）前側突起部
前側突起部１２３は、図９に示されるように爪受け部１２２の底壁を挟んで一対形成されており、図４に示されるように栓本体１１０に飲み口体１２０が装着された状態において栓本体１１０の台座部１１１Ｃに乗り上げた状態となる。栓本体１１０に飲み口体１２０が装着された状態において、一対の前側突起部１２３は、前後方向に向かって栓本体１１０の円筒壁部１１２の筒軸を含むように延びる仮想面を挟むように位置している。
【００３７】
（２−２−４）後側爪受け部
後側爪受け部１２４は、図１０および図１１に示されるように飲み口部１２１の背面側に形成されている被係止リブであって、栓本体１１０に飲み口体１２０が装着された状態において係止爪片１１４の主爪部１１４ｃによって係止される。
【００３８】
（２−２−５）第１環状リブ
第１環状リブ１２５は、栓本体１１０に飲み口体１２０が装着された状態において、栓本体１１０の上壁部１１１の中央壁部１１１Ａの内縁部の裏側の左右両側において下方に突起する一対の当接リブ群ＧＲ（図６参照）に当接する。なお、第１環状リブ１２５の下面は、図１１に示されるように後側爪受け部１２４の下面と同一面上に位置している。この第１環状リブ１２５と前側突起部１２３との間にはＯ−リング（図示せず）が配設される。また、第１環状リブ１２５の上面から前側突起部１２３の下面までの高さ方向の距離ＨＴは、上壁部１１１の厚みよりも長くなるように設計されている。
【００３９】
（２−２−６）第２円環リブ
第２円環リブ１２６は、下側パッキンＰＫの上端位置を規定するためのリブであって、略円環状を呈している。
【００４０】
（２−２−７）位置決めリブ
位置決めリブ１２７は、飲み口体１２０が栓本体１１０に装着された状態において飲み口体１２０の前後位置を安定させる役割を担う一対のリブであって、図９〜図１１に示されるように前側突起部１２３とほぼ同じ高さ位置において左右方向に延びている。これらの位置決めリブ１２７は、飲み口体１２０が栓本体１１０に装着されるとき栓本体１１０のリブ挿通口ＲＯに挿通される。
【００４１】
（２−２−８）パッキン装着部
パッキン装着部は略円筒であり、図９に示されるようにこのパッキン装着部には下側パッキンＰＫが取り付けられる。
【００４２】
（２−３）蓋体
蓋体１３０は、図２〜図４に示されるように、主に、蓋本体１３１、パッキン部材１３２、揺動爪１３３、操作機構１３４および蓋体側連結部１３５から構成されている。以下、各構成要素について詳述する。
【００４３】
（２−３−１）蓋本体
蓋本体１３１は、図２〜図４に示されるように、主に、天壁部１３１Ａおよび側壁部１３１Ｂから構成されている。天壁部１３１Ａは、略円盤状を呈しており、側面視において背面側から正面側に向かうに従って上方に傾斜している（図３等参照）。また、この天壁部１３１Ａの略中央位置には、図３に示されるように、パッキン部材１３２を取り付けるための円柱部１３１Ｃが形成されている。側壁部１３１Ｂは、図２および図３に示されるように、天壁部１３１Ａの外縁から下方に向かって延びている。
【００４４】
（２−３−２）パッキン部材
パッキン部材１３２は、ゴム・エラストマー製部材であって、図３に示されるように蓋体１３０が閉状態とされているときに飲み口体１２０の飲料通路の流出口Ｍｏを閉塞するものである。そして、このパッキン部材１３２は、図３および図４に示されるように、主に、縁シール部１３２Ａおよび円柱突起部１３２Ｂから形成されている。縁シール部１３２Ａは、平面視において略Ｄ字状の平板部位であって、図３および図４に示されるように、蓋体１３０が閉状態とされているときに飲み口体１２０の上端面に当接し、そこにシール構造を形成する。円柱突起部１３２Ｂは、図３および図４に示されるように、縁シール部１３２Ａの中央部分から下方に向かって延びており、蓋本体１３１の円柱部１３１Ｃの外側に嵌め込まれている。
【００４５】
（２−３−３）揺動爪
揺動爪１３３は、図３および図４に示されるように、主に、爪部１３３ａ、爪支持部１３３ｂ、回動軸１３３ｃ、バネ受け壁部１３３ｄおよび突起部１３３ｅから構成されている。爪部１３３ａは、図３に示されるように、爪支持部１３３ｂの下端に設けられており、前方から後方に向かって延びている。爪支持部１３３ｂは、図３に示されるように回動軸１３３ｃから下方に向かって延びている。回動軸１３３ｃは、爪支持部１３３ｂの上端内側に形成されており、揺動爪１３３の支点となっている。バネ受け壁部１３３ｄは、図３に示されるように回動軸１３３ｃから上方に向かって延びている。突起部１３３ｅは、バネ受け壁部１３３ｄの背面から後方に向かって延びている。この突起部１３３ｅの外周側には、図３に示されるように第１コイルバネ１３４ｄが嵌め込まれている。そして、この揺動爪１３３は、図３に示されるように蓋本体１３１の側壁部１３１Ｂの正面側に配設されており、操作機構１３４の操作レバー１３４ａを操作することによって回動軸１３３ｃを支点として前後方向に揺動可能となっている。具体的には、バネ受け壁部１３３ｄが第１コイルバネ１３４ｄの付勢力に逆らって前側から後側に移動されると爪部１３３ａは後側から前側に移動し、第１コイルバネ１３４ｄの付勢力によってバネ受け壁部１３３ｄが後側から前側に押されると爪部１３３ａは前側から後側に移動する。そして、この栓本体１１０に飲み口体１２０が装着されている状態では、揺動爪１３３は、飲み口体１２０の爪受け部１２２に係止される。
【００４６】
（２−３−４）操作機構
操作機構１３４は、図３に示されるように操作レバー１３４ａ、上下移動部材１３４ｂ、ガイド部１３４ｃ、第１コイルバネ１３４ｄおよび第２コイルバネ（図示せず）等から構成されている。図３に示されるように、蓋体１３０が閉状態である際、操作レバー１３４ａは、第１コイルバネ１３４ｄに付勢された揺動爪１３３、および、第２コイルバネに付勢された上下移動部材１３４ｂによって上方前側に向かって付勢されている。上下移動部材１３４ｂは、操作レバー１３４ａの直下に配設されており、第２コイルバネにより上方に向かって付勢されている。ガイド部１３４ｃは、上下移動部材１３４ｂが上下方向に沿って移動するように上下移動部材１３４ｂをガイドしている。第１コイルバネ１３４ｄは、図３に示されるように揺動爪１３３の突起部１３３ｅの外周に嵌め込まれており、揺動爪１３３のバネ受け壁部１３３ｄを前方に向かって付勢している。第２コイルバネは、上下移動部材１３４ｂを上方に向かって付勢している。
【００４７】
上記構成により、蓋体１３０が閉状態である際において（図３参照）、操作レバー１３４ａ、蓋本体１３１の天壁部１３１Ａと対向しない位置まで押し下げられると、内側に移動することが可能となる。そして、このとき、操作レバー１３４ａが第１コイルバネ１３４ｄの付勢力に逆らって内側に移動させられると、操作レバー１３４ａが揺動爪１３３のバネ受け壁部１３３ｄを後方側に押し、揺動爪１３３の爪部１３３ａが前方に移動して、同爪部１３３ａの飲み口体１２０の爪受け部１２２に対する係止が解除される。なお、蓋体１３０を開状態から閉状態にするには、単純に蓋体１３０を栓本体１１０および飲み口体１２０に対して押し込めばよい。
【００４８】
（２−３−５）蓋体側連結部
蓋体側連結部１３５は、図２および図４に示されるように蓋本体１３１の後端に左右一対形成される部位であり、この蓋体側連結部１３５には、回動ピン（図示せず）が挿通される孔が形成されている。そして、この蓋体側連結部１３５は、回動ピン（図示せず）を介して栓本体１１０の蓋体支持部１１５に連結される。すなわち、この蓋体側連結部１３５は、栓本体１１０の蓋体支持部１１５および回動ピンと共にヒンジ構造を構成している。
【００４９】
＜栓本体に対する飲み口体の着脱方法＞
（１）栓本体から飲み口体を脱離する方法
ここでは、図１２〜図１４を参照しながら栓本体１１０から飲み口体１２０を脱離する方法について説明する。
【００５０】
先ず、図１２に示されるように、蓋体１３０を開いた状態で飲み口体１２０の後部を下方に向かって押す（図１２の白抜き矢印参照。）。この結果、飲み口体１２０の後側爪受け部１２４が係止爪片１１４の主爪部１１４ｃから外れ、図１３に示されるように飲み口体１２０の後部が前側下方に押し下げられると共に、飲み口体１２０の前側突起部１２３が栓本体１１０の台座部１１１Ｃから浮き上がった状態となる（図１３の白抜き矢印参照。）。この状態で、飲み口体１２０を後方に引き出すと、飲み口体１２０が栓本体１１０から脱離する（図１４の白抜き矢印参照。）。
【００５１】
（２）栓本体に対して飲み口体を装着する方法
飲み口体１２０を栓本体１１０に装着するには、上述の「栓本体から飲み口体を脱離する方法」と逆の過程を経ればよい。以下、図１２〜図１４を参照しながら栓本体１１０に対して飲み口体１２０を装着する具体的方法について説明する。
【００５２】
具体的には、先ず、図１４に示されるように、飲み口体１２０の前側突起部１２３が栓本体１１０の台座部１１１Ｃの上側にくるように、飲み口体１２０を栓本体１１０の後斜め下位置から栓本体１１０に対して移動させる（図１４の黒塗り矢印参照。）。次に、図１３に示されるように、飲み口体１２０の前側突起部１２３が栓本体１１０の台座部１１１Ｃの上側に位置する状態を保ちながら飲み口体１２０の下端後部を上方に押し上げる（図１３の黒塗り矢印参照。）。その結果、飲み口体１２０の後側爪受け部１２４が係止爪片１１４の主爪部１１４ｃに係止され、飲み口体１２０が栓本体１１０に装着される（図４および図１２参照。）。
【００５３】
＜本発明の実施の形態に係る栓体の特徴＞
（１）
本発明の実施の形態に係る栓体１００では、飲み口体１２０が、一対の前側突起部１２３および後側爪受け部１２４ｂの計３箇所で栓本体１１０に支持されている。このため、この栓体１００では、栓本体１１０に対する飲み口体１２０の正面側の支持を従前のものよりもバランスよく安定化させることができる。
【００５４】
（２）
本発明の実施の形態に係る栓体１００では、飲み口体１２０の後側爪受け部１２４ｂが背面側の係止爪片１１４によって係止される。すなわち、この栓体１００では、口との接触機会がほとんどない側の飲み口体１２０の部位側に係止構造が適用されている。したがって、この栓体１００では、飲料摂取中において意図しない飲み口体１２０の脱離を抑制することができる。
【００５５】
（３）
本発明の実施の形態に係る栓体１００では、飲み口体１２０が栓本体１１０に装着されている状態において、一対の前側突起部１２３が栓本体１１０の台座部１１１Ｃの上側に位置する状態となると共に、後側爪受け部１２４ｂが栓本体１１０の上壁部１１１の下側で係止爪片１１４の主爪部１１４ｃに係止される。このため、この栓体１００では、飲み口体１２０の前側部位に上側から比較的大きな応力が加わった場合であっても、前側突起部１２３が栓本体１１０から外れることを防ぐことができると共に、口との接触機会がほとんどない側の飲み口体１２０の部位を上側から押すことによって飲み口体１２０を脱離させることができる。
【００５６】
（４）
本発明の実施の形態に係る栓体１００では、係止爪片１１４の主爪部１１４ｃが主板バネ部１１４ｂに連結されており、飲み口体１２０の後側爪受け部１２４ｂが係止爪片１１４の主爪部１１４ｃにより係止される。このため、この栓体１００では、栓本体１１０や飲み口体１２０の部品寸法のバラツキを主板バネ部１１４ｂにより吸収することができる。このため、この栓体１００では、飲み口体１２０を栓本体１１０に安定して装着することができる。
【００５７】
（５）
本発明の実施の形態に係る栓体１００では、栓本体１１０の上壁部１１１、円筒壁部１１２、雌ネジ部１１３および蓋体支持部１１５が樹脂の一体成形品とされ、が別体とされている。このため、この栓体１００では、適切な材料で係止爪片１１４を形成することができ、延いては安定した係止構造を形成することができる。
【００５８】
＜変形例＞
（Ａ）
先の実施の形態では本発明が栓体１００に適用されたが、本発明は、図１５〜図１８に示される栓体２００に適用されてもよい。ところで、栓体２００は、主に（ｉ）栓本体２１０にロック機構付きの蓋体開閉レバーＲＬが設けられており、そのロック機構付きの蓋体開閉レバーにより、蓋体２３０に設けられる爪受け部２３３が係止される点、（ｉｉ）先の実施の形態に係る爪受け部１２２が飲み口体２２０に設けられない点の二点で先の実施の形態に係る栓体１００と相違する。なお、（ｉ）の相違点は本発明との関連性が極めて薄く、ロック機構付きの蓋体開閉レバーとして公知の多種多様なものが適用されてもかまわないため、この点についての説明は省略する。また、ロック機構付きの蓋体開閉レバーの代えて他の蓋体開閉機構が適用されてもかまわない。また、（ｉｉ）の相違点については、部位の一部が省略されたのみであるため、その詳細な説明を省略する。また、図１５〜図１８に示される構成部品のうち栓体１００の構成部品等と同一であるもの（構造的に同一のもののみならず機能的に同一であるものを含む。）については、その同一の構成部品等に対して先の実施の形態に係る栓体１００に対して付された符号と同一の符号を付してその説明を省略する。
【００５９】
（Ｂ）
先の実施の形態では容器として真空二重容器ＶＤＣが採用されていたが、容器は特に限定されず、例えば、通常の単壁の容器であってもよい。また、先の実施の形態では容器の素材としてステンレス鋼が採用されていたが、容器の素材は、ステンレス鋼以外の合金、樹脂等であってもよい。
【００６０】
（Ｃ）
先の実施の形態に係る真空二重容器ＶＤＣでは、外側側壁部の上端部分の外周面に雄ネジ部が形成されていたが、代わりに内筒側壁部の上端部分の内周面に雌ネジ部が形成されてもよい。ただし、かかる場合、栓本体１１０の外周面に雄ネジ部を形成する必要がある。
【００６１】
（Ｄ）
先の実施の形態に係る栓体１００では、飲み口体１２０に設ける被支持部として一対の前側突起部１２３および後側爪受け部１２４ｂが採用されたが、前側突起部１２３が２箇所以上存在していてもよく、後側爪受け部１２４ｂが１箇所以上存在していてもよい。ただし、かかる場合、前側突起部１２３の数は、後側爪受け部１２４ｂの数よりも多いことが好ましい。
【００６２】
（Ｅ）
先の実施の形態に係る栓体１００では栓本体１１０の上壁部１１１、円筒壁部１１２、雌ネジ部１１３および蓋体支持部１１５は樹脂の一体成形品であり、係止爪片１１４は、別体であったが、円筒壁部１１２、雌ネジ部１１３、係止爪片１１４および蓋体支持部１１５が樹脂の一体成形品とされてもよい。
【００６３】
＜備考＞
なお、上記変形例（Ａ）〜（Ｅ）は各例単独で適用されてもよいし、２例を組わされて適用されてもよいし、４例全てを組み合わせて適用されてもよい。
【符号の説明】
【００６４】
１００    ：栓体
１１０    ：栓本体
１１１Ｃ  ：台座部
１１４    ：係止爪片
１１４ｂ  ：主板バネ部
１１４ｃ  ：主爪部
１２０    ：飲み口体
１２３    ：前側突起部
１２４    ：後側爪受け部
１３０    ：蓋体
【図１】
2020089406.tif 000003
【図２】
2020089406.tif 000004
【図３】
2020089406.tif 000005
【図４】
2020089406.tif 000006
【図５】
2020089406.tif 000007
【図６】
2020089406.tif 000008
【図７】
2020089406.tif 000009
【図８】
2020089406.tif 000010
【図９】
2020089406.tif 000011
【図１０】
2020089406.tif 000012
【図１１】
2020089406.tif 000013
【図１２】
2020089406.tif 000014
【図１３】
2020089406.tif 000015
【図１４】
2020089406.tif 000016
【図１５】
2020089406.tif 000017
【図１６】
2020089406.tif 000018
【図１７】
2020089406.tif 000019
【図１８】
2020089406.tif 000020